(57)【要約】      （修正有）【課題】  バックライトモジュールに用いるランプホルダを開示する。【解決手段】ランプホルダ２２０は、支持部２１２、固定部２１４、及びＵ字状保持部２１６を含む。支持部はバックライトモジュール２００の拡散シート２０４を、ランプ２０６から予め決められた距離だけ分離する。固定部は支持部をバックライトモジュールの背面２０２に固定する。Ｕ字状保持部はランプを保持するために用いられ、各Ｕ字状保持部の開口の幅はランプの直径と実質的に同一である。【選択図】  図２
2006024549.tif 000002
【特許請求の範囲】
【請求項１】
背面、拡散シート及び複数のランプを具備するバックライトモジュールに用いられるランプホルダであって、
拡散シートに面した背面の内面に固定された固定部と、
前記固定部上に配置された支持部と、
前記固定部に連結された複数のＵ字状保持部と
を備え、
各Ｕ字状保持部の開口の幅が各ランプの直径と実質的に等しいランプホルダ。
【請求項２】
前記Ｕ字状保持部の開口が背面の内面に向けられている請求項１に記載のランプホルダ。
【請求項３】
前記Ｕ字状保持部が前記固定部を介して互いに連結されて直列のパターンを形成している請求項２に記載のランプホルダ。
【請求項４】
前記直列パターンで配置されたＵ字状保持部の一端に連結された鉤状の保持部をさらに備える請求項３に記載のランプホルダ。
【請求項５】
前記支持部がＵ字状の穴を備え、Ｕ字状穴の開口幅がランプの直径と実質的に等しい請求項１に記載のランプホルダ。
【請求項６】
前記Ｕ字状保持部の開口が前記背面に対して平行に向けられている請求項１に記載のランプホルダ。
【請求項７】
複数の第２のＵ字状保持部をさらに備え、第２Ｕ字状保持部の開口が前記Ｕ字状保持部の開口に対して逆向きに配置されている請求項６に記載のランプホルダ。
【請求項８】
前記Ｕ字状保持部の開口が背面の内面に対して反対に向けられている請求項１に記載のランプホルダ。
【請求項９】
前記Ｕ字状保持部の内側壁の各々がバンプを有する請求項１に記載のランプホルダ。
【請求項１０】
ランプホルダが透明な材料又は白色材料から形成されている請求項１に記載のランプホルダ。
【発明の詳細な説明】
【関連出願】
【０００１】
本出願は、２００４年７月９日に出願された台湾国特許出願第９３１２０６２４号の利益を主張し、この出願の主題を援用して本文の記載の一部とする。
【技術分野】
【０００２】
本発明は、概してランプホルダに関し、特には、ランプを保持するためにＵ字状の保持部を用いるランプホルダに関する。
【背景技術】
【０００３】
大型液晶ディスプレイの必要条件を満たすために、下部照明バックライトモジュール及びその内部ランプをより長くしなければならない。バックライトモジュールが直立に構成されるため、内部ランプは、通常、重力により下方に湾曲し、これが重大なシェーディングの問題をディスプレイ画像に生じる。ランプの下方への変形を防止するために、概してランプホルダを用いてランプの中間部を把持する。
【０００４】
米国特許第６，８３４，９７４号に、リー(Lee)らがランプ組立体を開示している。ランプ組立体は、光を放射するランプと、ランプの一端を受け入れ、且つ、ランプの端部から放射される光の一部を放射するためのランプホルダとを含む。ランプホルダは透明又は半透明の材料を有する。バックライト組立体は光ガイドプレートを含み、光ガイドプレートは、ランプ及びランプホルダから放射された光をガイドし、また、ガイドした光を放射する。バックライト組立体は、また、ランプ組立体及び光ガイドプレートを受け入れるための受け入れ容器を含む。こうして、ランプの電極に対応する暗い部分が減少され、バックライト組立体の明るさが増大され得る。
【０００５】
図１を参照すると、従来一般の下部照明バックライトモジュールの部分断面図が示されている。バックライトモジュール１００は、背面１１０、拡散シート１２０、ランプ１３０及びランプホルダ１４０を含む。背面１１０は、ランプ１３０を配置するために用いられ、拡散シート１２０は、ランプ１３０により放射される光を均一に拡散するために用いられる。ランプホルダ１４０は、支持部１４２、固定部１４４及びＣ字状の把持部１４６を含む。支持部１４２は、拡散部１２０をランプ１３０から予め決められた距離だけ分離し、固定部１４４は背面１１０上に固定されている。Ｃ字状把持部１４６は、バックライトモジュールが直立に構成されていることによるランプ１３０の下方への変形を防止するようにランプ１３０を把持するために用いられている。
【発明の開示】
【発明が解決しようとする課題】
【０００６】
しかし、ランプ１３０を保持するためにランプホルダ１４０を用いる場合、ランプ１３０をＣ字状把持部１４６内に押し込まなければならない。Ｃ字状把持部１４６の開口の幅がランプ１３０の直径よりも小さいので、ランプ１３０を押し込むと破損し易い。さらに、ランプホルダ１４０は１個又は２個のランプしか保持できず、従って多数のランプホルダをバックライトモジュールに設けなくてはならず、これが製造プロセスがを複雑にしている。
【課題を解決するための手段】
【０００７】
従って、本発明の目的は、或るランプホルダを提供することにある。このランプホルダは、ランプを保持するためのＵ字状の部分を有し、このＵ字状部の開口の幅はランプの直径と実質的に等しい。従って、上記のランプ破損の問題を回避することができる。
【０００８】
本発明は、上記の目的を、バックライトモジュールに用いられるランプホルダを提供することにより達成する。バックライトモジュールは、背面、拡散シート及び多数のランプを含む。ランプホルダは、支持部、固定部、及びＵ字状の保持部を含む。支持部は固定部上に配置され、固定部は、拡散シートに面した背面の内面に固定されている。Ｕ字状保持部は固定部に連結され、Ｕ字状保持部の開口の幅はランプの直径と実質的に等しい。
【０００９】
本発明の他の目的、特徴及び利点は、好ましく且つ限定的でない実施形態の以下の詳細な説明から明らかになろう。以下の説明は添付図面を参照しつつ行う。
【発明を実施するための最良の形態】
【００１０】
本発明の好ましい実施形態に従うランプホルダにおいては、ランプを保持するために従来のＣ字状把持部の代わりにＵ字状の保持部を用いてランプ破損問題を回避する。以下の説明において、バックライトモジュールのＵ字状保持部と背面との相対方向による３つの実施形態を示す。
【００１１】
実施形態１：
図２の（Ａ）を参照すると、本発明の第１実施形態に従うバックライトモジュールの断面図が示されている。下部照明バックライトモジュール２００は、背面２０２、拡散シート２０４及びランプホルダ２１０を含む。ランプホルダ２１０は、支持部２１２、固定部２１４、及び多数のＵ字状の保持部及び鉤状の保持部を含み、図２の（Ａ）には４つのＵ字状保持部２１６及び２つの鉤状保持部２１８が例として示されている。Ｕ字状保持部２１６は固定部２１４に連結されて直列のパターンを形成し、鉤状保持部２１８はそれぞれ、直列配置されたＵ字状保持部２１６の２つの端部に連結されている。ランプホルダ２１０の２つの端部における保持部は、ランプを保持する効果を有するように適切に鉤状にされることができる。支持部２１２は固定部２１４上に配置されている。この実施形態において、支持部２１２は、直列配置されたＵ字状保持部２１６の中央に位置する固定部２１４の上に配置されている。固定部２１４は、支持部２１２を配置するために支持部２１２の寸法に従って必要に応じて延長されることができる。
【００１２】
支持部２１２は、拡散シート２０４をランプ２０６から十分な距離だけ分離するために用いられ、固定部２１４は、ランプホルダ２１０を、拡散シートに面した背面２０２の内面に固定するために用いられる。Ｕ字状保持部２１６及び鉤状保持部２１８はランプ２０６を保持するために用いられる。Ｕ字状保持部２１６及び鉤状保持部２１８の開口は背面の内面に向けられている。Ｕ字状保持部２１６の開口の幅及び鉤状保持部２１８の開口の幅は、ランプ２０６の直径Ｄとほぼ等しい。Ｕ字状保持部２１６及び鉤状保持部２１８を用いてランプ２０６を把持することにより、バックライトモジュールが直立に構成されているためにランプ２０６が重力により湾曲する問題を回避できる。さらに、この実施形態においては１つのランプホルダが多数のランプを保持することができ、これによりバックライトモジュール２００の製造プロセスを簡略化する。
【００１３】
図２の（Ｂ）及び（Ｃ）は、本発明の第１実施形態に従うランプホルダの別の概略図である。図２の（Ｂ）において、バックライトモジュール２５０のランプホルダ２２０における支持部２２２は、１以上のランプ２０６を保持するためのＵ字状の穴２２４を含む。Ｕ字状穴２２４の開口幅Ｗ２はランプ２０６の直径Ｄとほぼ等しい。図２の（Ｃ）において、保持部２１６の内側壁の各々は、ランプ２０６が保持部２１６内に配置されたときにランプ２０６を固定するためのバンプ(bump)２１９も有することができる。
【００１４】
実施形態２：
図３の（Ａ）は、本発明の第２実施形態に従うバックライトモジュールの断面図である。下部照明モジュールバックライトモジュール３００は、背面３０２、拡散シート３０４及びランプホルダ３１０を含む。ランプホルダ３１０は、支持部３１２、固定部３１４及びＵ字状の保持部３１６を含む。Ｕ字状保持部３１６の開口は背面３０２に対して平行に向けられており、Ｕ字状保持部の開口の幅Ｗ３はランプ３０６の直径Ｄとほぼ等しい。Ｕ字状保持部３１６及び支持部３１２は固定部３１４に連結されている。Ｕ字状保持部３１６を用いてランプ３０６を把持することにより、バックライトモジュール３００が直立に構成されることによるランプの変形を回避することができる。
【００１５】
図３の（Ｂ）は、本発明の第２実施形態に従うバックライトモジュールの斜視図である。バックライトモジュール３００は２つのランプホルダ３１０を含む。２つのランプホルダ上のＵ字状保持部が、互いに対して逆向きに向けられており、こうして各ランプ３０６を２つのランプホルダ３１０によりしっかりと保持することができる。バックライトモジュール３００の組立において振動テストを行っても、ランプ３０６はＵ字状保持部３１６に拘束されているので移動しない。
【００１６】
実施形態３：
図４の（Ａ）を参照すると、本発明の第３実施形態に従うバックライトモジュールの断面図が示されている。下部照明バックライトモジュール４００は、背面４０２、拡散シート４０４及びランプホルダ４１０を含む。ランプホルダ４１０は、支持部４１２、固定部４１４及びＵ字状の保持部４１６を含む。Ｕ字状保持部４１６の開口は背面４０２に対して反対に向けて配置されており、Ｕ字状保持部４１６の開口の幅Ｗ４はランプ４０６の直径Ｄとほぼ等しい。Ｕ字状保持部４１６及び支持部４１２は固定部４１４に連結されている。Ｕ字状保持部４１６を用いてランプ４０６を把持することにより、バックライトモジュール４００が直立に構成されることによる重力によるランプ４０６の変形を回避することができる。
【００１７】
図４の（Ｂ）に示されているように、Ｕ字状保持部４１６の内側壁の各々が、ランプ４０６がＵ字状保持部４１６内に配置されたときにランプ４０６を固定するためのバンプ４１９を含む。
【００１８】
上記の３つの実施形態におけるランプホルダは透明な材料から形成されているため、ランプから放射される光は遮断されない。また、ランプホルダを白色材料からつくることができるため、光源の色は影響を受けない。さらに、固定部４１４を背面４０２上にねじ留めすることができ、又はフックにより背面４０２に固定することができる。
【００１９】
上記の好ましい実施形態に従えば、本発明のランプホルダの利点は、バックライトモジュールが直立に構成されることによる重力によるランプの変形を、ランプ直径と等しい開口幅を有するＵ字状保持部を用いてランプを保持することにより回避できることにある。また、保持部は、保持部の内側壁にある２つのバンプにより、ランプをより有効に保持できる。さらに、本発明のランプホルダは多数のランプを同時に保持でき、これにより、バックライトモジュールの製造プロセスを簡略化する。
【００２０】
本発明を、例として、また好ましい実施形態に関して記載してきたが、本発明がこの実施形態に限定されないことが理解されよう。むしろ、本発明が様々な変更及び類似の配列及び手順を包含することが意図されており、従って、添付の特許請求の範囲は、このような変更並びに類似の配列及び手順を包含するように最も広範な解釈がなされるべきである。
【図面の簡単な説明】
【００２１】
【図１】従来一般のバックライトモジュールの部分断面図である。
【図２】（Ａ）は、本発明の第１実施形態に従うバックライトモジュールの断面図であり、（Ｂ）は、本発明の第１実施形態に従うランプホルダの別の概略図であり、（Ｃ）は、本発明の第１実施形態に従うバンプを有するＵ字状保持部の断面図である。
【図３】（Ａ）は、本発明の第２実施形態に従うバックライトモジュールの断面図であり、（Ｂ）は、本発明の第２実施形態に従うバックライトモジュールの斜視図である。
【図４】（Ａ）は、本発明の第３実施形態に従うバックライトモジュールの断面図であり、（Ｂ）は、本発明の第３実施形態に従うバンプを有するＵ字状保持部の断面図である。
【符号の説明】
【００２２】
２００，２５０，３００，４００…バックライトモジュール、２０２，３０２，４０２…背面、２０４，３０４，４０４…拡散シート、２０６，３０６，４０６…ランプ、２１０，２２０，３１０，４１０…ランプホルダ、２１２，２２２，３１２，４１２…支持部、２１４，３１４，４１４…固定部、２１６，３１６，４１６…保持部、２１８…鉤状保持部、４１９…バンプ。
【図１】
2006024549.tif 000003
【図２】
2006024549.tif 000004
【図３】
2006024549.tif 000005
【図４】
2006024549.tif 000006